(57)【要約】【課題】アンダーコートのような細かな毛であっても、無駄毛を掻き取ることができ、ブラッシングにより掻き取った抜け毛を簡単にまとめることができる動物用抜け毛捕集用具を提供すること。【解決手段】本発明の動物用抜け毛捕集用具１Ａは、細長い平坦面２１を有する支持部２と、動物の毛を掻き取る複数個の掻き取り部３と、隣り合う掻き取り部３同士によって形成される捕集部４とを備えている。複数個の掻き取り部３は、個々が平坦面２１の長手方向に並ぶように突設されており、掻き取り部３によって掻き取られた動物の毛を、隣り合う掻き取り部３同士間で捕集するようになされている。【選択図】図１
2010213666.tif 000002
【特許請求の範囲】
【請求項１】
細長い平坦面を有する支持部と、動物の毛を掻き取る複数個の掻き取り部と、隣り合う該掻き取り部同士によって形成される捕集部とを備えた動物用抜け毛捕集用具であって、
複数個の前記掻き取り部は、各々が前記平坦面の長手方向に並ぶように突設されており、
前記掻き取り部によって掻き取られた動物の毛を、隣り合う該掻き取り部同士間で捕集するようになされている動物用抜け毛捕集用具。
【請求項２】
複数個の前記掻き取り部それぞれは、複数本のブラシピンを束ねて形成され、該ブラシピン束それぞれは、前記支持部の長手方向に対して斜め直線状に形成され、前記掻き取り部の突設された前記平坦面の平面視において、隣り合う該掻き取り部同士間によって、ハの字状に形成されている請求項１に記載の動物用抜け毛捕集用具。
【請求項３】
複数個の前記掻き取り部それぞれは、複数本のブラシピンを束ねて形成され、該ブラシピン束それぞれは、三角形状に形成され、前記掻き取り部の突設された前記平坦面の平面視において、隣り合う該掻き取り部同士間によって、ハの字状に形成されている請求項１に記載の動物用抜け毛捕集用具。
【請求項４】
複数本の前記ブラシピンそれぞれは、その先端部が先端に向かって先細のテーパー状に形成されている請求項２又は３に記載の動物用抜け毛捕集用具。
【請求項５】
複数本の前記ブラシピンの前記先端部それぞれは、弾性体で覆われている請求項４に記載の動物用抜け毛捕集用具。
【請求項６】
複数個の前記掻き取り部それぞれは、前記掻き取り部の突設された前記平坦面の平面視において、平板により形成され、前記掻き取り部の突設された前記平坦面の平面視において、隣り合う該掻き取り部同士間によって、くの字状に形成されている請求項１に記載の動物用抜け毛捕集用具。
【発明の詳細な説明】
【技術分野】
【０００１】
本発明は、動物用抜け毛捕集用具に関する。
【背景技術】
【０００２】
従来より、ペットにブラッシングする際に、ブラッシングにより抜けた抜け毛を簡単にまとめることができるペット用ブラシが提案されている。例えば、特許文献１には、ブラシピンを用いずに、ブラシ面をギザギザの山切り状に形成したペット用ブラシが開示されている。また、特許文献２には、ブラッシングによりブラシピンに絡みついた抜け毛を簡単に取り除くことができるように、複数本のブラシピンを有する取手と、取手の底面側に位置し、各ブラシピンに対応する位置に複数個の貫通孔を有するブラシ先端部（ブラシカバー）と備えた動物用ブラシが開示されている。
【０００３】
しかし、特許文献１に記載のペット用ブラシにおいては、ブラッシングにより抜けた抜け毛が舞い散らずに、抜け毛をまとめることができるが、例えば、一次毛と呼ばれる太い毛（オーバーコート）、及びこの太い毛の下に生えている二次毛と呼ばれる細い毛（アンダーコート）が生える種類の動物をブラッシングしても、特許文献１に記載のペット用ブラシでは、アンダーコートの無駄毛を掻き取ることができない。
【０００４】
また、特許文献２に記載の動物用ブラシにおいては、無駄毛を複数本のブラシピンにより掻き取り、ブラシピンに絡みついた抜け毛を、取手を上下することにより、ブラシカバーで扱いてまとめることができるが、アンダーコートが非常に細いためブラシカバーの貫通孔に入ってしまう場合があり、簡単に抜け毛をまとめることができるとは言い難い。
【先行技術文献】
【特許文献】
【０００５】
【特許文献１】特開２００８−１０４４４０号公報
【特許文献２】特開平９−１４０２８６号公報
【発明の開示】
【発明が解決しようとする課題】
【０００６】
したがって、本発明の課題は、アンダーコートのような細かな毛であっても、無駄毛を掻き取ることができ、ブラッシングにより掻き取った抜け毛を簡単にまとめることができる動物用抜け毛捕集用具を提供することにある。
【課題を解決するための手段】
【０００７】
本発明は、細長い平坦面を有する支持部と、動物の毛を掻き取る複数個の掻き取り部と、隣り合う該掻き取り部同士によって形成される捕集部とを備えた動物用抜け毛捕集用具であって、複数個の前記掻き取り部は、個々が前記平坦面の長手方向に並ぶように突設されており、前記掻き取り部によって掻き取られた動物の毛を、隣り合う該掻き取り部同士間で捕集するようになされている動物用抜け毛捕集用具を提供するものである。
【発明の効果】
【０００８】
本発明の動物用抜け毛捕集用具によれば、アンダーコートのような細かな毛であっても、無駄毛を掻き取ることができ、ブラッシングにより掻き取った抜け毛を簡単にまとめることができる。
【図面の簡単な説明】
【０００９】
【図１】図１は、本発明の第1実施形態である動物用抜け毛捕集用具の正面図である。
【図２】図２は、図１の下面図である。
【図３】図３は、図１に示す掻き取り部の拡大斜視図である。
【図４】図４は、図１に示す掻き取り部を構成するブラシピンの拡大正面図である。
【図５】図５は、図１に示す掻き取り部を構成するブラシピンの拡大断面図である。
【図６】図６は、本発明の第２実施形態である動物用抜け毛捕集用具の正面図である。
【図７】図７は、図６の下面図である。
【図８】図８は、図６に示す掻き取り部を構成するブラシピンの拡大断面図である。
【図９】図９は、本発明の第３実施形態である動物用抜け毛捕集用具の正面図である。
【図１０】図１０は、図９の下面図である。
【図１１】図１１は、本発明の他の実施形態である動物用抜け毛捕集用具の正面図である。
【図１２】図１２は、本発明の他の実施形態である動物用抜け毛捕集用具の下面図である。
【図１３】図１３は、本発明の他の実施形態である動物用抜け毛捕集用具の下面図である。
【図１４】図１４は、本発明の他の実施形態である動物用抜け毛捕集用具の下面図である。
【発明を実施するための形態】
【００１０】
以下、本発明の動物用抜け毛捕集用具の好ましい第１実施形態について、図１〜図５に基づいて説明する。
【００１１】
第１実施形態の動物用抜け毛捕集用具１Ａ（以下、「捕集用具１Ａ」ともいう。）は、図１〜図２に示すように、細長い平坦面２１を有する支持部２と、動物の毛を掻き取る複数個の掻き取り部３と、隣り合う掻き取り部３同士によって形成される捕集部４とを備えている。複数個の掻き取り部３は、図１〜図３に示すように、平坦面２１の長手方向に並ぶように突設されており、掻き取り部３によって掻き取られた動物の毛を、隣り合う掻き取り部３同士間で捕集するようになされている。
以下、図１に示す正面図の幅方向を「Ｘ方向」として、図１に示す高さ方向を「Ｙ方向」として、図１に示す正面図の厚み方向（図２に示す下面図の縦方向）を「Ｚ方向」として説明する。
【００１２】
捕集用具１Ａにおける支持部２は、捕集用具１Ａを用いて動物の毛を梳かす際に、手でホールドする部分である。捕集用具１Ａの支持部２は、図１に示すように、正面視して、略四角形状に形成されており、図２に示すように、下面視して、Ｘ方向に細長い平坦面２１を有するように形成されている。支持部２は、図１に示すように、手でホールドする際に痛くならないように、Ｙ方向の上方の両側部の角を取っている。支持部２の断面形状（不図示）は、Ｙ方向の上方に頂角をなすように略二等辺三角形状に形成されている。捕集用具１Ａの支持部２の底面は、図２に示すように、Ｘ方向に長い四角形状に形成されており、４つ角それぞれの角を取っている。
【００１３】
支持部２は、その幅（図１に示すＸ方向）が、３０ｍｍ〜２００ｍｍであることが好ましく、その高さ（図１に示すＹ方向）が、１５ｍｍ〜１５０ｍｍであることが好ましい。支持部２の一端は、図２に示すように、Ｘ方向に細長い平坦面２１であり、その厚み（図２に示すＺ方向）が、３ｍｍ〜４０ｍｍであることが好ましい。
【００１４】
捕集用具１Ａの掻き取り部３は、捕集用具１Ａによって動物の毛を梳かす際に、動物の無駄毛を掻き取る部分である。掻き取り部３は、動物の種類や大きさ、また、毛の多さや長さにもよるが、２個〜６０個備えられていることが好ましい。たとえば、小型犬用であれば掻き取り部は２〜２０個、特に４〜１０個程度であると扱いやすいし、中型〜大型犬用であれば掻き取り部は４〜６０個、特に８〜５０個程度であると扱いやすい。図１，図２に示す捕集用具１Ａの掻き取り部３は、８個備えられている。８個の掻き取り部３それぞれは、図１に示すように、支持部２の一端である平坦面２１に直列状に突設されている。具体的には、８個の掻き取り部３それぞれは、図１，図２に示すように、支持部２の平坦面２１の長手方向（捕集具１Ａを正面から見たときの幅方向（Ｘ方向））に沿うように並設されている。
【００１５】
捕集用具１Ａは、隣り合う掻き取り部３同士によって形成される捕集部４を備えている。具体的には、捕集用具１Ａにおいては、８個の掻き取り部３は、図２に示すように、Ｘ方向左側の掻き取り部３ａと、掻き取り部３ａと隣り合い且つ対向するように形成されたＸ方向右側の掻き取り部３ｂとからなる捕集部４を４対（セット）形成している。隣り合う掻き取り部同士３ａ，３ｂで形成された捕集部４は、掻き取り部３によって掻き取られた動物の毛を、その間で捕集するように形成されている。
【００１６】
８個の掻き取り部３それぞれは、２本〜８０本の複数本のブラシピン３１を束ねて形成されていることが好ましく、捕集用具１Ａにおいては、掻き取り部３それぞれは、５本のブラシピン３１を束ねたブラシピン束から形成されている。ブラシピン３１束それぞれは、図２に示すように、支持部２の長手方向（捕集具１Ａを下面から見たときの幅方向（Ｘ方向））に対して斜め直線状に形成され、掻き取り部３の突設された平坦面２１の平面視において、Ｘ方向に隣り合う掻き取り部３同士間によって、ハの字状に形成されている。
【００１７】
掻き取り部３は、その高さ（ｈ１）が、図１に示すように、５ｍｍ〜７０ｍｍであることが好ましく、その長さ（Ｌ１）が、図２に示すように、１ｍｍ〜５０ｍｍであることが好ましく、その幅（Ｗ１）が、図２に示すように、０．５ｍｍ〜２０ｍｍであることが好ましい。
【００１８】
捕集部４を形成するＸ方向左側の掻き取り部３ａは、図２に示すように、Ｚ方向と角度α１で交差している。角度α１は、１°〜８５°、特に５〜７０°、殊更１０〜４５°であることが掻き取り性と捕集性のバランスの点で好ましい。捕集部４を形成するＸ方向右側の掻き取り部３ｂは、図２に示すように、掻き取り部３ａと対向するように形成されている。具体的には、掻き取り部３ｂも同様に、Ｚ方向と角度α１で交差している。従って、Ｘ方向左側の掻き取り部３ａと、この掻き取り部３ａに隣り合うＸ方向右側の掻き取り部３ｂとから形成される１個の捕集部４は、図２に示すように、平坦面２１の一辺Ｘ１から他辺Ｘ２に向かって、互いの間隔が漸減するように配されており、ハの字状に形成されている。
【００１９】
図２に示すように、１個の捕集部４を形成する掻き取り部３ａと３ｂとの、支持部２の一辺Ｘ１側の端部同士の間隔ｄ１は、１ｍｍ〜１００ｍｍであることが好ましく、他辺Ｘ２側の端部同士の間隔ｄ２は、０ｍｍ〜２０ｍｍであることが好ましい。図２に示すように、Ｘ方向に隣り合う、捕集部４同士の間隔ｄ３は、０ｍｍ〜２０ｍｍであることが好ましい。
【００２０】
捕集具１Ａでは、掻き取り部３を構成するブラシピン３１それぞれは、その先端部３１ａ先端に向かって先細のテーパー状に形成されている。具体的には、ブラシピン３１は、図４に示すように、Ｙ方向における、支持部２の一端である平坦面２１から突出する方向に向かって、先細り形状（テーパー状）に形成されている。ブラシピン３１は、図４に示すように、テーパー状の先端部３１ａと、何れの箇所も同径の基部３１ｂとから構成されている。捕集用具１Ａにおいては、基部３１ｂの断面形状は、略円状であるが、多角形状、楕円形状であってもよい。
【００２１】
捕集用具１Ａは、ブラシピン３１の先端部３１ａを、図５に示すように、弾性体で覆う形態とすることができる。先端部３１ａを覆う弾性体の厚みは、０．０１ｍｍ〜３ｍｍであることが好ましい。
【００２２】
図４に示すように、ブラシピン３１の先端部３１ａの高さ（ｈ２）とブラシピン３１の基部３１ｂの高さ（ｈ３）と比（ｈ２／ｈ３）は、０．０１〜１００であることが好ましい。比（ｈ２／ｈ３）が０．０１〜５程度の範囲では、ブラシピンの先端はほぼ丸みを帯びており、ペットの肌に優しくマッサージ効果を伴ったブラッシングをすることができ、また比（ｈ２／ｈ３）が５〜１００の範囲では、ブラシピンの先端は先細形状になり、充分な掻き取り効果を発揮できる観点から好ましい。
【００２３】
捕集用具１Ａのように、捕集部４を形成するＸ方向左側の掻き取り部３ａが、複数本のブラシピン３１から形成されている場合には、ブラシピン３１の基部３１ｂ同士の間隔は、０ｍｍ〜１０ｍｍであることが好ましく、本実施形態においては、ブラシピン３１の基部３１ｂ同士の間隔は、０ｍｍである。即ち、Ｘ方向左側の掻き取り部３ａは、図３に示すように、５本のブラシピン３１の基部３１ｂを束ねて、Ｚ方向に対して斜め直線状（傾斜角度α１）に形成されている。捕集部４を形成するＸ方向右側の掻き取り部３ｂも、掻き取り部３ａと同様に、５本のブラシピン３１の基部３１ｂを束ねて、掻き取り部３ａと対向するように形成されている。このように形成された掻き取り部３ａと掻き取り部３ｂからなる捕集部４は、捕集用具１Ａにおいては、図２に示すように、「八」の字状に形成されており、捕集用具１Ａは４個の捕集部４を有しているため、Ｘ方向に４つの「八」の字状が直線状に並置されている。
【００２４】
第１実施形態の動物用抜け毛捕集用具１Ａの形成材料について説明する。
支持部２としては、通常、ブラシ、櫛に用いられるものであれば、特に制限なく用いることができる。例えば、支持部２としては、木、紙、硬質パルプ、硬質不織布、金属又は合成樹脂等からなる部材が用いられる。金属製の支持部２としては、具体的には、ステンレス製、アルミニウム合金製、真鍮製のものが挙げられ、合成樹脂製の支持部２としては、ポリエチレンテレフタレート、ポリブチレンテレフタレート及びポリトリメチレンテレフタレート等のポリエステル製、ナイロン即ちポリアミド製のものが挙げられる。
【００２５】
掻き取り部３を形成するブラシピン３１としては、通常、ブラシ、櫛に用いられるものであれば、特に制限なく用いることができる。例えば、ブラシピン３１としては、木、紙、金属又は合成樹脂等からなる部材が用いられる。金属製のブラシピン３１としては、具体的には、ステンレス製、アルミニウム合金製のものが挙げられ、合成樹脂製のブラシピン３１としては、ポリエステル製、ポリアミド製のものが挙げられる。
【００２６】
ブラシピン３１の先端部３１ａを覆う弾性体としては、例えば、天然ゴム、ポリウレタン等のエラストマーからなる材料等が挙げられる。
【００２７】
上述した本発明の第１実施形態の動物用抜け毛捕集用具１Ａを使用した際の作用効果について説明する。
捕集用具１Ａは、図１〜図３に示すように、動物の毛を掻き取る複数個の掻き取り部３と、隣り合う掻き取り部３同士によって形成される捕集部４とを備えており、ブラッシングすることにより、オーバーコートの下に生えている二次毛と呼ばれる細い毛（アンダーコート）の無駄毛を掻き取り部３で、掻き取ることができる。また、捕集用具１Ａは、図１〜図３に示すように、掻き取り部３によって掻き取られた動物の毛を、隣り合う掻き取り部３同士間（捕集部４）で捕集するようになされているので、ブラッシングにより掻き取った抜け毛を簡単にまとめることができる。
【００２８】
また、捕集用具１Ａは、掻き取り部３が複数本のブラシピン３１から形成されており、捕集部４が、図２に示すように、「八」の字状に形成されているので、捕集用具１Ａは、図２に示す平坦面２１の一辺Ｘ１から他辺Ｘ２に向かって動物の毛を梳くように使用される。この方向に梳くことにより、ブラッシングにより掻き取った抜け毛を簡単に更にまとめることができる。
【００２９】
また、捕集用具１Ａは、掻き取り部３のブラシピン３１がテーパー状に形成された先端部３１ａを備えているので、オーバーコートの下に生えているアンダーコートの無駄毛を更に掻き取ることができる。
【００３０】
また、図５に示す捕集用具１Ａのように、掻き取り部３のブラシピン３１の先端部３１ａを弾性体で覆った形態では、ブラッシング時に動物の肌を傷つけることが回避容易となり、しかもブラッシングと同時に、動物をマッサージすることができる。
【００３１】
次に、本発明の第２実施形態の動物用抜け毛捕集用具について、図６〜８に基づいて説明する。
第２実施形態の動物用抜け毛捕集用具１Ｂについては、第１実施形態の動物用抜け毛捕集用具１Ａと異なる点について説明する。特に説明しない点は、第１実施形態の動物用抜け毛捕集用具１Ａと同様であり、第１実施形態の動物用抜け毛捕集用具１Ａの説明が適宜適用される。
【００３２】
第２実施形態の動物用抜け毛捕集用具１Ｂ（以下、「捕集用具１Ｂ」ともいう。）は、図６，図７に示すように、８個の掻き取り部３を備えている。８個の掻き取り部３それぞれは、３本〜８０本の複数本のブラシピン３１を束ねて形成されていることが好ましく、捕集用具１Ｂにおいては、掻き取り部３それぞれは、６本のブラシピン３１を束ねたブラシピン束から形成されている。ブラシピン３１束それぞれは、図７に示すように、三角形状に形成されて、掻き取り部３の突設された前記平坦面２１の平面視において、Ｘ方向に隣り合う掻き取り部３同士間によって、ハの字状に形成されている。
以下、６本のブラシピン３１を束ねて形成された掻き取り部３について、具体的に説明する。
【００３３】
８個の掻き取り部３それぞれは、６本のブラシピン３１から形成されており、図７に示すように、底辺及び両側辺それぞれが３本のブラシピン３１からなる三角形状に形成されている。三角形状の掻き取り部３は、その底辺が支持部２の平坦面２１の他辺Ｘ２側に位置し、他辺Ｘ２とＸ方向に平行に配され、三角形状の頂点が平坦面２１の一辺Ｘ１側に配されている。８個の三角形状の掻き取り部３それぞれは、図７に示すように、支持部２の平坦面２１の長手方向（捕集具１Ａを正面から見たときの幅方向（Ｘ方向））に沿うように並設されている。
【００３４】
捕集用具１Ｂの掻き取り部３の側辺の長さ（Ｌ２）は、図７に示すように、１ｍｍ〜５０ｍｍであることが好ましく、底辺の長さ（Ｌ３）は、２ｍｍ〜５０ｍｍであることが好ましい。三角形状の平坦面２１の一辺Ｘ１側の頂角α２は、５°〜８５°であることが好ましい。
【００３５】
掻き取り部３を構成するブラシピン３１それぞれは、その先端部３１ａ先端に向かって先細のテーパー状に形成されており、ブラシピン３１の先端部３１ａの先端は、図８に示すように、球状の弾性体５で覆われている。先端部３１ａの先端を覆う弾性体５の直径は、０．８ｍｍ〜５ｍｍであることが好ましい。
【００３６】
捕集用具１Ｂの捕集部４は、図７に示すように、隣り合う、三角形状の掻き取り部３同士によって、Ｘ方向に隣り合う掻き取り部３同士間に、ハの字状に形成されており、具体的には、三角形状の掻き取り部３と逆向きの三角形状に形成されている。捕集用具１Ｂの捕集部４は、図７に示すように、隣り合う掻き取り部３同士間に形成されているため、８個の掻き取り部３から７個形成されている。
【００３７】
上述した本発明の第２実施形態の動物用抜け毛捕集用具１Ｂを使用した際の作用効果について説明する。
第２実施形態の動物用抜け毛捕集用具１Ｂは、第１実施形態の動物用抜け毛捕集用具１Ａと同様の効果が得られる。以下、第１実施形態の動物用抜け毛捕集用具１Ａと異なる効果について説明する。
【００３８】
第２実施形態の動物用抜け毛捕集用具１Ｂは、図７に示すように、捕集部４が「八」の字状に形成されているので、捕集用具１Ｂは、図７に示す平坦面２１の一辺Ｘ１から他辺Ｘ２に向かって動物の毛を梳くように使用される。この方向に梳くことにより、ブラッシングにより掻き取った抜け毛を簡単に更にまとめることができる。捕集用具１Ｂは、特に、掻き取り部３が６本のブラシピン３１により三角形状の束となっているので、強度が高く、しっかりとブラッシングすることができる。
【００３９】
また、第２実施形態の動物用抜け毛捕集用具１Ｂは、図８に示すように、掻き取り部３を形成する６本のブラシピン３１の先端部３１ａそれぞれの先端部にのみ、球状の弾性体５により覆われているので、ブラッシングと同時に、動物をマッサージすることができる。
【００４０】
次に、本発明の第３実施形態の動物用抜け毛捕集用具について、図９〜１０に基づいて説明する。
第３実施形態の動物用抜け毛捕集用具１Ｃについては、第１実施形態の動物用抜け毛捕集用具１Ａ又は第２実施形態の動物用抜け毛捕集用具１Ｂと異なる点について説明する。特に説明しない点は、第１実施形態の動物用抜け毛捕集用具１Ａ又は第２実施形態の動物用抜け毛捕集用具１Ｂと同様であり、第１実施形態の動物用抜け毛捕集用具１Ａ又は第２実施形態の動物用抜け毛捕集用具１Ｂの説明が適宜適用される。
【００４１】
第３実施形態の動物用抜け毛捕集用具１Ｃ（以下、「捕集用具１Ｃ」ともいう。）は、掻き取り部３が複数本のブラシピン３１から形成されているのではなく、平板３２により形成されている点に特徴を有している。掻き取り部３は、１個〜８０個備えていることが好ましく、捕集用具１Ｃの掻き取り部３は、図９に示すように、１０個備えられている。
【００４２】
１０個の掻き取り部３それぞれは、図１０に示すように、１枚の平板３２から形成されている。隣り合う掻き取り部３ａ，３ｂ同士によって形成される捕集部４は、５個形成されており、５個の捕集部４それぞれは、くの字状に形成されている。具体的には、捕集用具１Ｃにおいては、１０個の掻き取り部３は、図１０に示すように、Ｘ方向左側の掻き取り部３ａと、掻き取り部３ａと隣り合い且つ対向するように形成されたＸ方向右側の掻き取り部３ｂとからなる捕集部４を５対（セット）形成している。隣り合う掻き取り部同士３ａ，３ｂは、支持部２の平坦面２１の他辺Ｘ２側の端部同士が接しており、接触角度α３は、５°〜８５°、特に１０〜７０°、殊更１５〜４５°であることが好ましい。５個のくの字状の捕集部４それぞれは、図１０に示すように、支持部２の平坦面２１の長手方向（捕集具１Ａを正面から見たときの幅方向（Ｘ方向））に沿うように並設されている。
【００４３】
５個の捕集部４は、図９に示すように、全体視して、Ｘ方向の中央に位置する捕集部４の中央が一番低く、中央からＸ方向外方に向かって、徐々に捕集部４が高くなるように形成されている。Ｘ方向の中央に位置する捕集部４の中央とは、５個の捕集部４の中の、Ｘ方向の中央に位置する捕集部４を構成する２枚の掻き取り部３ａ，３ｂ同士が接している部分３ｃのことである。５個の捕集部４は、図９に示すように、５個の捕集部４の中のＸ方向左最外方に位置する捕集部４を構成する掻き取り部３ａの左端及び５個の捕集部４の中のＸ方向右最外方に位置する捕集部４を構成する掻き取り部３ｂの右端から、Ｘ方向の中央に位置する捕集部４の部分３ｃに向かって高さが漸減するように傾斜することにより、逆山状に形成されている。
【００４４】
第３実施形態の動物用抜け毛捕集用具１Ｃの形成材料について説明する。
第３実施形態の動物用抜け毛捕集用具１Ｃについては、第１実施形態の動物用抜け毛捕集用具１Ａ又は第２実施形態の動物用抜け毛捕集用具１Ｂと異なる点について説明する。特に説明しない点は、第１実施形態の動物用抜け毛捕集用具１Ａ又は第２実施形態の動物用抜け毛捕集用具１Ｂと同様である。
【００４５】
掻き取り部３を構成する平板３２としては、ブラシピン３１と同様に、木、紙、金属又は合成樹脂等からなる部材が用いられる。
【００４６】
上述した本発明の第３実施形態の動物用抜け毛捕集用具１Ｃを使用した際の作用効果について説明する。
第３実施形態の動物用抜け毛捕集用具１Ｃは、第１実施形態の動物用抜け毛捕集用具１Ａと同様の効果が得られる。以下、第１実施形態の動物用抜け毛捕集用具１Ａと異なる効果について説明する。
【００４７】
第３実施形態の動物用抜け毛捕集用具１Ｃは、図１０に示すように、捕集部４が「く」の字状に形成されているので、捕集用具１Ｃは、図１０に示す平坦面２１の一辺Ｘ１から他辺Ｘ２に向かって動物の毛を梳くように使用される。この方向に梳くことにより、ブラッシングにより掻き取った抜け毛を簡単に更にまとめることができる。捕集用具１Ｃは、特に、図９に示すように、掻き取り部３が平板３２により形成されているので、強度が高く、しっかりとブラッシングすることができる。
【００４８】
また、第３実施形態の動物用抜け毛捕集用具１Ｃは、図９に示すように、５個の捕集部４が、全体視して、逆山状に形成されているので、動物の体に沿わせてブラッシングすることが容易になる。
【００４９】
本発明の動物用抜け毛捕集用具は、上述の第１実施形態の動物用抜け毛捕集用具１Ａ、第２実施形態の動物用抜け毛捕集用具１Ｂ及び第３実施形態の動物用抜け毛捕集用具１Ｃに何ら制限されるものではなく、適宜変更可能である。
【００５０】
例えば、上述の第１実施形態の動物用抜け毛捕集用具１Ａ、第２実施形態の動物用抜け毛捕集用具１Ｂ及び第３実施形態の動物用抜け毛捕集用具１Ｃにおいては、図１，図６，図９に示すように、支持部２は、捕集用具１Ａ，１Ｂ，１Ｃを用いて動物の毛を梳かす際に、手でホールドする部分であるが、図１１に示すように、支持部２のＸ方向の一方の端部に、手で握る柄６を取りつけてもよい。
【００５１】
また、上述の第１実施形態の動物用抜け毛捕集用具１Ａ、第２実施形態の動物用抜け毛捕集用具１Ｂ及び第３実施形態の動物用抜け毛捕集用具１Ｃにおいては、図１，図６，図９に示すように、掻き取り部３は支持部２の平坦面２１に突設されているが、掻き取り部３と支持部２とが取り外し可能なように形成されていてもよい。
【００５２】
また、上述の第１実施形態の動物用抜け毛捕集用具１Ａ及び第２実施形態の動物用抜け毛捕集用具１Ｂにおいては、図１，図６，図９に示すように、掻き取り部３を形成するブラシピン３１が先端に向かって先細のテーパー状に形成されているが、テーパー状でなくてもよい。
【００５３】
また、上述の第１実施形態の動物用抜け毛捕集用具１Ａ及び第２実施形態の動物用抜け毛捕集用具１Ｂにおいては、図５，図８に示すように、掻き取り部３を形成するブラシピン３１の先端部３１ａが弾性体で覆われているが、覆われていなくてもよく、掻き取り部３を形成する複数本のブラシピン３１における一部のブラシピン３１の先端部３１ａが弾性体で覆われていてもよい。
【００５４】
また、上述の第１実施形態の動物用抜け毛捕集用具１Ａ及び第２実施形態の動物用抜け毛捕集用具１Ｂにおいては、図２，図７に示すように、掻き取り部３を形成するブラシピン３１が複数個集合して形成されているが、それらの径・太さは全てが同一でなくてもよい。
【００５５】
また、上述の第３実施形態の動物用抜け毛捕集用具１Ｃにおいては、図１０に示すように、掻き取り部３は平版３２から形成されているが、それらの厚み・長さは全てが同一でなくてもよい。
【００５６】
また、上述の第１，２実施形態の動物用抜け毛捕集用具１Ａ，１Ｂにおいては、図２，図７に示すように、捕集部４がハの字状に形成され、上述の第３実施形態の動物用抜け毛捕集用具１Ｃにおいては、図１０に示すように、捕集部４がくの字状に形成されているが、ハの字状、くの字状に限らず、掻き取られた動物の毛を、隣り合う掻き取り部３，３同士間で捕集するように形成されていればよい。例えば、図１２〜１４に示すような実施形態とすることが可能である。
【００５７】
図１２に示す実施形態（動物用抜け毛捕集用具１Ｄ）では、隣合った捕集部４がハの字となっている点は上述の第１の実施形態の動物用抜け毛捕集用具１Ａと類似するが、各ハの字の単位が、支持体の長手方向（捕集具１Ａを正面から見たときの幅方向（Ｘ方向））両端部から中央部に向かうに従い短手方向一端から他端方向に（平坦面２１の一辺Ｘ１から他辺Ｘ２に向かって）湾曲した形状となっている。本実施形態によれば、掻き取り方向が分かりやすいと共に、湾曲の膨らみ方向に毛が捕集され易い。
【００５８】
図１３に示す実施形態（動物用抜け毛捕集用具１Ｅ）では、隣合った捕集部４が短手方向一端から他端（平坦面２１の一辺Ｘ１から他辺Ｘ２）に向かって逆ハの字形状で並んで、頂点の欠けた菱形形状となっている。本実施形態では、掻き取り方向が一辺Ｘ１から他辺Ｘ２及び他辺Ｘ２から一辺Ｘ１のいずれからでも毛の捕集が可能となる。
【００５９】
図１４に示す実施形態（動物用抜け毛捕集用具１Ｆ）では、隣合った捕集部４’が第１の実施形態の動物用抜け毛捕集用具１Ａのハの字形状の捕集部４と、その窄んだ末端側の間隔よりも半径の大きい略半円周形状の捕集部とによって閉じられた形状となっている。本実施形態では、大型の捕集部４’によって、大量の毛が捕集可能となっている。
【００６０】
本発明の動物用抜け毛捕集用具は、アンダーコートの生える犬種・猫種等のペット以外にも、アンダーコートの生える動物、例えば、ウサギ、ライオン、羊等の動物に好適に用いることができる。
【符号の説明】
【００６１】
１Ａ，１Ｂ，１Ｃ，１Ｄ，１Ｅ，１Ｆ  動物用抜け毛捕集用具
２  支持部
２１  支持部の平坦面
３  掻き取り部
３ａ  Ｘ方向左側の掻き取り部，３ｂ  ３ａと隣り合う掻き取り部，３ｃ  掻き取り部３ａと掻き取り部３ｂとの接点
３１  ブラシピン
３１ａ  ブラシピンの先端部，３１ｂ  ブラシピンの基部
３２  平板
４，４’  捕集部
５  弾性体
６  柄
【図１】
2010213666.tif 000003
【図２】
2010213666.tif 000004
【図３】
2010213666.tif 000005
【図４】
2010213666.tif 000006
【図５】
2010213666.tif 000007
【図６】
2010213666.tif 000008
【図７】
2010213666.tif 000009
【図８】
2010213666.tif 000010
【図９】
2010213666.tif 000011
【図１０】
2010213666.tif 000012
【図１１】
2010213666.tif 000013
【図１２】
2010213666.tif 000014
【図１３】
2010213666.tif 000015
【図１４】
2010213666.tif 000016